【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
動的スペクトル管理（ＤＳＭ）エンジンであって、
オポチュニスティックスペクトルに関するオポチュニスティックスペクトル可用性情報を維持し、
オポチュニスティックスペクトルリソース情報を取得して、オポチュニスティックスペクトルリソースのプールを維持し、
デバイスからの要求に応答して、前記デバイスに関連付けられた、感知機能、無線アクセス技術（ＲＡＴ）機能、センサ融合機能、または、接続状態のうちの少なくとも１つに基づいて、アグリゲーションされたスペクトルリソースを割り当て、前記アグリゲーションされたスペクトルリソースは、認可スペクトルおよび前記オポチュニスティックスペクトルを含む
ように構成されたプロセッサを備えたことを特徴とする動的スペクトル管理（ＤＳＭ）エンジン。
【請求項２】
前記オポチュニスティックスペクトルは、プライマリユーザが動作していないスペクトルを含むことを特徴とする請求項１に記載のＤＳＭエンジン。
【請求項３】
前記プロセッサは、前記アグリゲーションされたスペクトルリソースを前記デバイスへ送信し、および、前記アグリゲーションされたスペクトルリソースを動的に更新および再構成するように構成されることを特徴とする請求項１に記載のＤＳＭエンジン。
【請求項４】
感知プロセッサをさらに備え、前記プロセッサは、前記感知プロセッサからの入力に少なくとも基づいて、オポチュニスティックスペクトルリソースの前記プールを識別しおよび維持するように構成されることを特徴とする請求項１に記載のＤＳＭエンジン。
【請求項５】
前記プロセッサは、前記デバイスと前記ＤＳＭエンジンとの間の複数の無線アクセス技術（ＲＡＴ）上で複数の並列セッションを確立するように構成されることを特徴とする請求項１に記載のＤＳＭエンジン。
【請求項６】
前記プロセッサは、インターネットプロトコル（ＩＰ）アグリゲーションを実行するように構成されることを特徴とする請求項１に記載のＤＳＭエンジン。
【請求項７】
前記オポチュニスティックスペクトルは、無認可スペクトル、リースされたスペクトル、サブライセンスされたスペクトル、または、テレビジョンホワイトスペースのうちの少なくとも１つを含むことを特徴とする請求項１に記載のＤＳＭエンジン。
【請求項８】
前記プロセッサは、アグリゲーションされたスペクトルリソースを動的に選択するように構成されることを特徴とする請求項１に記載のＤＳＭエンジン。
【請求項９】
前記ＤＳＭエンジンに関連付けられたデバイスについてのデバイス情報を格納するための集中型デバイスデータベース（ＣＤＤ）をさらに備え、前記ＣＤＤは、前記デバイスに関連付けられた、前記感知機能、前記無線アクセス技術（ＲＡＴ）機能、前記センサ融合機能、または、前記接続状態のうちの少なくとも１つを格納し、前記プロセッサは、前記デバイスに関して前記ＣＣＤから情報を読み出しおよび前記ＣＣＤへ情報を書き込むように構成され、前記プロセッサは、サービス品質変更または感知専用チャネル上でのプライマリユーザ検出のうちの少なくとも１つを含むイベントトリガに応答して、前記割り当てられたリソースを変更するように構成されることを特徴とする請求項１に記載のＤＳＭエンジン。
【請求項１０】
動的スペクトル管理（ＤＳＭ）クライアントであって、
割り当てられたアグリゲーションされたスペクトルリソースをＤＳＭエンジンから取得し、および、前記ＤＳＭエンジンとの制御通信に対処し、前記割り当てられたアグリゲーションされたスペクトルリソースは、認可スペクトルおよびオポチュニスティックスペクトルを含み、前記割り当てられたスペクトルリソースは、前記ＤＳＭクライアントに関連付けられた、感知機能、無線アクセス技術（ＲＡＴ）機能、センサ融合機能、または、接続状態のうちの少なくとも１つに基づいて割り当てられ、
インターネットプロトコル（ＩＰ）アグリゲーションを実行し、
ネットワーク情報に基づいて、ネットワーク健全性を決定し、
前記ＤＳＭエンジンとの接続性を開始および維持する
ように構成されたプロセッサを備えたことを特徴とする動的スペクトル管理（ＤＳＭ）クライアント。
【請求項１１】
前記オポチュニスティックスペクトルは、プライマリユーザが動作していないスペクトルを含むことを特徴とする請求項１０に記載のＤＳＭクライアント。
【請求項１２】
感知情報を感知プロセッサ（ＳＰ）から受信し、および、前記感知情報に少なくとも基づいて前記割り当てられたアグリゲーションされたスペクトルリソース上でプライマリユーザを感知するための、感知プロセッサ−クライアント（ＳＰ−Ｃ）をさらに備えることを特徴とする請求項１０に記載のＤＳＭクライアント。
【請求項１３】
前記プロセッサは、前記ＤＳＭクライアントについての接続性機能を提供するように構成されることを特徴とする請求項１０に記載のＤＳＭクライアント。
【請求項１４】
動的スペクトル管理（ＤＳＭ）の方法であって、
感知専用デバイスモードにおける複数のデバイスによって集められた情報、および、オポチュニスティック帯域データベースから受信された情報に基づいて、ＤＳＭエンジンによって使用される初期チャネルの一覧を導出するステップと、
初期チャネルの前記一覧を前記デバイスへ送信し、および、割り当てられたアグリゲーションされたチャネルうちの１つまたは複数が感知専用チャネルであるかどうかを前記デバイスに知らせるステップと、
利用可能なチャネルのプールを決定するステップと、
感知モードがサポートされてかつ利用可能なチャネルの前記プールが不足していることを条件として、デバイスに関連付けられた、感知機能、無線アクセス技術（ＲＡＴ）機能、センサ融合機能、または、接続状態のうちの少なくとも１つに基づいて、オポチュニスティック帯域における追加チャネルの有用性を決定するために前記感知モードを使用するステップと、
利用可能なチャネルの前記プールからチャネルを選択するステップと、
利用可能なチャネルの前記プールからのアグリゲーションされたチャネルを、制御チャネルのために割り当てるステップであって、前記アグリゲーションされたチャネルは、認可帯域または前記オポチュニスティック帯域のうちの少なくとも１つからのチャネルを含む、ステップと、
前記アグリゲーションされたチャネルを使用して、制御メッセージを前記デバイスへ送信するステップと
を含むことを特徴とする方法。
【請求項１５】
前記オポチュニスティックスペクトルは、プライマリユーザが動作していないスペクトルを含むことを特徴とする請求項１４に記載の方法。
【請求項１６】
システム性能を監視して、アドミッション制御をトリガするステップと、
制御チャネル情報をブロードキャストするステップと、
前記デバイスとの認証および関連付けを実行するステップと、
前記デバイスからデバイス機能とともにアタッチメント要求を受信するステップと、
アドミッション制御を実行するステップと、
デバイスアタッチメントを確認するステップと、
クライアントデバイスデータベース（ＣＤＤ）内に前記デバイスを登録するステップと
をさらに含むことを特徴とする請求項１４に記載の方法。
【請求項１７】
少なくとも認可帯域または無認可帯域上でインターネットプロトコル（ＩＰ）レイヤにおいて、選択されたチャネルをアグリゲーションするステップと、
媒体アクセス制御（ＭＡＣ）レイヤにおいて、不連続な選択されたチャネルをアグリゲーションするステップと
をさらに含むことを特徴とする請求項１４に記載の方法。